(57)【要約】      （修正有）【課題】分解が容易で、かつベース部材及びレンズ鏡室を再利用可能であり、レンズ鏡室の倒れ方向の調芯機構にも適用可能な構造を有するレンズ鏡筒を提供する。【解決手段】レンズを保持するレンズ保持部材と、固定部材によって前記レンズ保持部材と固定されるベース部材１１０と、前記レンズ保持部材と前記ベース部材との相対位置を調整する調整部材（偏心コロ１３０）と、を有するレンズ鏡筒であって、前記固定部材は第１凸部と第２凸部とフランジ部とを有し、前記ベース部材に前記第１凸部が固定された偏芯固定軸と、前記第２凸部が挿通される貫通穴を有し、前記レンズ保持部材に嵌合した偏芯固定カラーと、を有し、前記偏芯固定軸と前記偏芯固定カラーとで形成される接着部に接着剤が充填されることで前記レンズ保持部材と前記ベース部材とが固定されることを特徴とする構成とした。【選択図】図１
2018185449.tif 000002
【特許請求の範囲】
【請求項１】
レンズを保持するレンズ保持部材と、
固定部材によって前記レンズ保持部材と固定されるベース部材と、
前記レンズ保持部材と前記ベース部材との相対位置を調整する調整部材と、
を有するレンズ鏡筒であって、
前記固定部材は
第１凸部と第２凸部とフランジ部とを有し、前記ベース部材に前記第１凸部が固定された偏芯固定軸と、
前記第２凸部が挿通される貫通穴を有し、前記レンズ保持部材に嵌合した偏芯固定カラーと、
を有し、
前記偏芯固定軸と前記偏芯固定カラーとで形成される接着部に接着剤が充填されることで前記レンズ保持部材と前記ベース部材とが固定されることを特徴とするレンズ鏡筒。
【請求項２】
前記調整部材は偏芯コロであり、前記ベース部材のコロ受け穴に嵌合するよう前記レンズ保持部材に挿通され、前記偏芯コロを回転させることにより、前記レンズ保持部材の位置が調整されることを特徴とする請求項１に記載のレンズ鏡筒。
【請求項３】
前記偏芯コロの偏芯量は、倒れ量を最大にした場合でも前記第２凸部が前記貫通穴に接触しない範囲で設定されていることを特徴とする請求項２に記載のレンズ鏡筒。
【請求項４】
前記第２凸部の端面部は、前記貫通穴を貫通して前記貫通穴の外部に位置することを特徴とする請求項１乃至請求項３のいずれかに記載のレンズ鏡筒。
【請求項５】
前記偏芯固定カラーは、レンズ鏡筒の外周部側の開口部がレンズ鏡筒の内周部側の開口部に比較して直径が大きく、前記貫通穴が異なる直径を有することを特徴とする請求項１乃至請求項４のいずれかに記載のレンズ鏡筒。
【請求項６】
前記レンズ保持部材は窓部が設けられ、前記ベース部材はネジ穴部が設けられ、前記第１凸部は前記ネジ穴部に締め込まれ、前記偏芯固定カラーは前記窓部に嵌合することを特徴とする請求項１乃至請求項５のいずれかに記載のレンズ鏡筒。
【請求項７】
前記調整部材は前記レンズの光軸と直交する面内に少なくとも２箇所設けられていることを特徴とする請求項１乃至請求項６のいずれかに記載のレンズ鏡筒。
【請求項８】
前記固定部材は前記調整部材１箇所につき、前記レンズの光軸と直交する面内に少なくとも１箇所は設けられることを特徴とする請求項１乃至請求項７のいずれかに記載のレンズ鏡筒。
【請求項９】
レンズを保持し、窓部を有するレンズ保持部材と、
凹部を有し、固定部材によって前記レンズ保持部材が固定されるベース部材と、
回転させることにより、前記レンズ保持部材の位置を調整する偏芯コロと、
を有し、
前記固定部材は
第１凸部と第２凸部とフランジ部とを有する偏芯固定軸と、
前記第２凸部が挿通される貫通穴を有する偏芯固定カラーと、
を有するレンズ鏡筒の調芯方法であって、
前記第１凸部を前記凹部に固定し、前記偏芯固定カラーを前記窓部に嵌合する工程と、
前記レンズ保持部材の外周上に設けられた偏芯コロを回転させることで前記レンズ保持部材を光軸に対して倒れ調整する工程と、
前記倒れ調整後の所定の位置において前記レンズ保持部材と前記ベース部材とを固定するように前記偏芯固定軸と前記偏芯固定カラーとで形成される接着部に接着剤を充填する工程と、によって前記レンズ保持部材が調芯されることを特徴とするレンズ鏡筒の調芯方法。
【発明の詳細な説明】
【技術分野】
【０００１】
本発明は、調芯機構を有するレンズ鏡筒及びレンズ鏡筒の調芯方法に関する。
【背景技術】
【０００２】
従来より、デジタルスチルカメラなどに使用されるレンズ鏡筒においては、光学性能の低下を抑制するため、製造工程において調芯作業が行われている。
【０００３】
調芯作業は、調芯治具にレンズ鏡筒を取り付け、解像性能を検査しながらベース部材に保持されるレンズ鏡室の位置を調整することで行われる。この際、必要とされる性能を満たした相対位置において、ベース部材とレンズ鏡室とを固定する必要がある。
【０００４】
特にレンズ鏡室の重量が大きいレンズ鏡筒は、衝撃や移動によって、調整後の相対位置から容易にずれてしまうことが考えられる。従ってレンズ鏡室の重量が大きいレンズ鏡筒においては、取り分け固定を強固にする必要がある。
【０００５】
レンズ鏡室とベース部材とを固定する技術として、例えば特許文献１が挙げられる。特許文献１には、レンズ鏡室の外周面に貫通穴からビスが取り付けられており、レンズ鏡室は鏡筒本体に複数の貫通穴からビスの周囲に充填された接着剤で固定されていることを特徴とするレンズ鏡筒が開示されている。このような構成を取ることで、特定のレンズ鏡室の鏡筒本体での傾きや偏芯による光学調整をした後、長期に渡って調整時の状態を安定して保持することができ、耐衝撃性のあるレンズ鏡筒を得られる、としている。
【０００６】
また、特許文献２にはレンズの光軸方向を中心とした垂直方向の平面における調芯機構を有し、ベース部材とレンズ鏡室との間に接着台ピンを使用することを特徴とするレンズ鏡筒が開示されている。このような構成を取ることで、パーツが破損、変形してしまう可能性を低く抑え、一度取り外したパーツを再利用することができ、結果、コストや工程の増加を防ぐことができる、としている
【先行技術文献】
【特許文献】
【０００７】
【特許文献１】特開２０１０-１９１０７０号公報
【特許文献２】特開２０１６-３１４１０号公報
【発明の概要】
【発明が解決しようとする課題】
【０００８】
特許文献１に記載の発明は、調芯作業後の位置にレンズ鏡室を高精度に保持するため、接着剤によってレンズ鏡室をベース部材に直接固着している。しかし、ベース部材とレンズ鏡室との直接の固着を分離させるには相応の設備、ノウハウが必要なため、このような構成ではレンズ鏡筒の分解が困難であった。
【０００９】
また、直接固着されているベース部材とレンズ鏡室とを無理に分離させれば、その負荷によってベース部材とレンズ鏡室とが変形、破損してしまい、再利用することが困難となる。再利用が必要な場合、破損したパーツを新たに作り直すこととなり、コストや作業時間が増大する恐れがあった。また、固形化した接着剤が分離の際に破砕され、その細かい破片がレンズ鏡筒内部に飛散してしまう恐れがあった。
【００１０】
従って従来の技術では、レンズ鏡筒の分解が困難であり、また修理やベース部材とレンズ鏡室との相対位置の再調整の際には固着させたベース部材及びレンズ鏡室のユニットごと交換する必要がある為、各ユニットの再利用性に問題があった。
【００１１】
また、特許文献２に記載の発明は接着用のピンを採用しているため、ベース部材に対しては接着剤が直接接触していない。しかし、レンズ鏡室については接着剤が直接接触しているため、やはりレンズ鏡室の再利用性に問題があった。
【００１２】
また、特許文献２ではレンズの光軸と直交する平面内を平行に移動させる調芯機構を有したレンズ鏡筒の構造しか開示されていない。特許文献２の発明では、ベース部材とレンズ鏡室とをビス締結することで固定を行っている。ここで、倒れ方向の調芯機構に上記発明を適用すれば、光軸と直交する方向からビス締結を行うこととなる。しかし、光軸と直交する方向からビス締結を行えば、ベース部材とレンズ鏡室が倒れ調整によって傾いているためビス締結によってベース部材とレンズ鏡室が平行となるような方向に力が加わり、調整後の相対位置が変化してしまう。従って、倒れ方向の調芯機構には適用することができなかった。
【００１３】
上記課題から本発明は分解が容易で、かつベース部材及びレンズ鏡室を再利用可能であり、レンズ鏡室の倒れ方向の調芯機構にも適用可能な構造を有するレンズ鏡筒を提供することを目的とする。
【課題を解決するための手段】
【００１４】
請求項１に示す発明は、レンズを保持するレンズ保持部材と、固定部材によって前記レンズ保持部材と固定されるベース部材と、前記レンズ保持部材と前記ベース部材との相対位置を調整する調整部材と、を有するレンズ鏡筒であって、前記固定部材は第１凸部と第２凸部とフランジ部とを有し、前記ベース部材に前記第１凸部が固定された偏芯固定軸と、前記第２凸部が挿通される貫通穴を有し、前記レンズ保持部材に嵌合した偏芯固定カラーと、を有し、前記偏芯固定軸と前記偏芯固定カラーとで形成される接着部に接着剤が充填されることで前記レンズ保持部材と前記ベース部材とが固定されることを特徴とするレンズ鏡筒である。
【００１５】
請求項２に示す発明は、前記調整部材は偏芯コロであり、前記ベース部材のコロ受け穴に嵌合するよう前記レンズ保持部材に挿通され、前記偏芯コロを回転させることにより、前記レンズ保持部材の位置が調整されることを特徴とする請求項１に記載のレンズ鏡筒である。
【００１６】
請求項３に示す発明は、前記偏芯コロの偏芯量は、倒れ量を最大にした場合でも前記第２凸部が前記貫通穴に接触しない範囲で設定されていることを特徴とする請求項２に記載のレンズ鏡筒である。
【００１７】
請求項４に示す発明は、前記第２凸部の端面部は、前記貫通穴を貫通して前記貫通穴の外部に位置することを特徴とする請求項１乃至請求項３のいずれかに記載のレンズ鏡筒である。
【００１８】
請求項５に示す発明は、前記偏芯固定カラーは、レンズ鏡筒の外周部側の開口部がレンズ鏡筒の内周部側の開口部に比較して直径が大きく、前記貫通穴が異なる直径を有することを特徴とする請求項１乃至請求項４のいずれかに記載のレンズ鏡筒である。
【００１９】
請求項６に示す発明は、前記レンズ保持部材は窓部が設けられ、前記ベース部材はネジ穴部が設けられ、前記第１凸部は前記ネジ穴部に締め込まれ、前記偏芯固定カラーは前記窓部に嵌合することを特徴とする請求項１乃至請求項５のいずれかに記載のレンズ鏡筒である。
【００２０】
請求項７に示す発明は、前記調整部材は前記レンズの光軸と直交する面内に少なくとも２箇所設けられていることを特徴とする請求項１乃至請求項６のいずれかに記載のレンズ鏡筒である。
【００２１】
請求項８に示す発明は、前記固定部材は前記調整部材１箇所につき、前記レンズの光軸と直交する面内に少なくとも１箇所は設けられることを特徴とする請求項１乃至請求項７のいずれかに記載のレンズ鏡筒である。
【００２２】
請求項９に示す発明は、レンズを保持し、窓部を有するレンズ保持部材と、凹部を有し、固定部材によって前記レンズ保持部材が固定されるベース部材と、回転させることにより、前記レンズ保持部材の位置を調整する偏芯コロと、を有し、前記固定部材は第１凸部と第２凸部とフランジ部とを有する偏芯固定軸と、前記第２凸部が挿通される貫通穴を有する偏芯固定カラーと、を有するレンズ鏡筒の調芯方法であって、前記第１凸部を前記凹部に固定し、前記偏芯固定カラーを前記窓部に嵌合する工程と、前記レンズ保持部材の外周上に設けられた偏芯コロを回転させることで前記レンズ保持部材を光軸に対して倒れ調整する工程と、前記倒れ調整後の所定の位置において前記レンズ保持部材と前記ベース部材とを固定するように前記偏芯固定軸と前記偏芯固定カラーとで形成される接着部に接着剤を充填する工程と、によって前記レンズ保持部材が調芯されることを特徴とするレンズ鏡筒の調芯方法である。
【発明の効果】
【００２３】
本発明によれば、分解が容易で、かつベース部材及びレンズ鏡室を再利用可能であり、レンズ鏡室の倒れ方向の調芯機構にも適用可能な構造を有するレンズ鏡筒を提供することができる。
【図面の簡単な説明】
【００２４】
【図１】本発明の第１の実施例を示したレンズ鏡筒の要部斜視図である。
【図２】本発明の第１の実施例を示したレンズ鏡筒の要部分解斜視図である。
【図３】本発明の第１の実施例を示したレンズ鏡筒の球状コロを示した斜視図である。
【図４】本発明の第１の実施例を示したレンズ鏡筒の光軸と直交する平面を示した断面図である。
【図５】本発明の第１の実施例を示したレンズ鏡筒の偏芯固定軸を示した斜視図である。
【図６】本発明の第１の実施例を示したレンズ鏡筒の偏芯固定カラーを示した斜視図である。
【図７】本発明の第１の実施例を示した偏芯固定部の接着部を示した斜視断面図である。
【図８】本発明の第２の実施例を示したレンズ鏡筒の要部斜視図である。
【図９】本発明の第２の実施例を示したレンズ鏡筒の要部分解斜視図である。
【図１０】本発明の第２の実施例を示したレンズ鏡筒の断面図である。
【発明を実施するための形態】
【００２５】
以下、添付の図面にしたがって、本発明を実施するための最良の形態について説明する。なお、この実施の形態により本発明が限定されるものではない。なお、本出願においては簡単のため、ネジ穴にネジ溝は描写しないものとする。
【００２６】
（実施例１）
本実施例のレンズ鏡筒１００は調芯機構を有し、ベース部材１１０、レンズ鏡室１２０、偏芯コロ１３０、球状コロ１５０、偏芯固定部１６０を有している。図１は本発明の第１の実施例を示したレンズ鏡筒１００の要部斜視図である。また、図２は本発明の第１の実施例を示したレンズ鏡筒１００の要部分解斜視図である。以下、図１、図２を使用して各部材について説明を行う。なお、図１、図２は本実施例のレンズ鏡筒１００において、調芯機構の説明に必要な要部のみを示している。また、レンズ鏡筒１００は撮像装置に対して取り付け交換可能であり、その中心に光軸を持つ。また、本発明においてはレンズ鏡筒１００の光軸側をレンズ鏡筒の内周部側、その反対側をレンズ鏡筒の外周部側と呼称することとする。
【００２７】
ベース部材１１０は、レンズ鏡筒１００における直進筒である。ベース部材１１０には３か所のコロ溝１１１が存在し、内側から不図示のコロが嵌合している。ベース部材１１０は不図示のコロの動きに応じて光軸方向へ前後移動を行う。また、ベース部材１１０には偏芯固定軸１７０が締め込まれる第１ネジ穴部１１２、取り付けビス１４０が締め込まれる第２ネジ穴部１１３、偏芯コロ１３０が嵌合する第１コロ受け穴１１４、球状コロ１５０が嵌合する不図示の第２コロ受け穴が設けられている。
【００２８】
レンズ鏡室１２０は、レンズエレメントを保持している部材である。レンズ鏡室１２０を光軸方向に倒れ調整し、固定することでレンズ鏡筒１００の調芯は行われる。レンズ鏡室１２０には偏芯固定カラー１８０が嵌合する丸穴部１２１、偏芯コロ１３０が挿通する長穴部１２２が設けられている。長穴部１２２がレンズ鏡筒１００の周方向に長辺がある長穴形状であることで、偏芯コロ１３０は光軸方向に対する倒れ調整が可能となる。既知の技術であるので詳しくは省略する。また、調芯後にレンズ鏡室１２０がベース部材１１０に固定されると、レンズ鏡室１２０は不図示のコロの動きに応じてベース部材１１０と連動して光軸方向へ前後移動を行う。ベース部材１１０とレンズ鏡室１２０との固定に関して、詳しくは後述する。ここで、丸穴部１２１は丸穴形状としているが、偏芯固定カラーが嵌合するのであれば、異なった形状としても良い。
【００２９】
偏芯コロ１３０は、レンズ鏡室１２０の長穴部１２２に嵌合し、ベース部材１１０の第１コロ受け穴１１４に嵌合し、同軸の取り付けビス１４０によって固定される、偏芯した円筒形状の部材である。取り付けビス１４０は偏芯コロを貫通し、ベース部材１１０の第２ネジ穴部１１３に締め込まれる。ベース部材１１０とレンズ鏡室１２０との相対位置は偏芯コロ１３０を回転させることで、設定された偏芯コロ１３０の偏芯量に応じて倒れ調整される。また、偏芯コロ１３０には、回転させる際に器具を係合させるための切り欠き部１３２が設けられている。
【００３０】
図３は本発明の第１の実施例を示したレンズ鏡筒の球状コロを示した斜視図である。球状コロ１５０は、ベース部材１１０の第２コロ受け穴に嵌合し、同軸の取り付けビス１４０をベース部材１１０の第２ネジ穴部１１３に締め込むことによって固定される部材である。球状コロ１５０において、第２コロ受け穴と嵌合する円筒部１５１は偏芯していない円筒形状であり、レンズ鏡室１２０に接する球状部１５２は球状の形状となっている。また球状コロ１５０は、ビス締めされた抑え部１５３とレンズ鏡室１２０に挟持されることによっても、固定がなされている。
【００３１】
図４は、レンズ鏡筒１００の光軸と直交する平面を示した断面図である。本実施例においては、球状コロ１５０によって１箇所を固定しながら、調整機構である２箇所の偏芯コロ１３０において倒れ調整をすることで、レンズ鏡室１２０の倒れ方を自在に調整している。２箇所の偏芯コロ１３０、球状コロ１５０は周方向に等間隔に配置されている。また、レンズ鏡室１２０の外周には調整機構が少なくとも２箇所必要であり、３箇所に設ける場合には、第１の実施例における球状コロ１５０が設置されている箇所を偏芯コロ１３０が設置されている他の２箇所の構成と同様となるよう変更すればよい。
【００３２】
偏芯固定部１６０は、偏芯固定軸１７０と偏芯固定カラー１８０によって構成される部材である。レンズ鏡室１２０とベース部材１１０の固定は、２箇所の偏芯コロ１３０及び球状コロ１５０と各取り付けビス１４０とで行われている。しかし固定箇所がその３点のみでは耐衝撃に対して不十分であり、例えば強い衝撃がかかった際に偏芯コロ１３０の位置がずれてしまう可能性がある。従って本発明では、調整機構１箇所に対して、光軸と直交する同一平面内の両側に２箇所の偏芯固定部１６０を設けることとした。このような部材を設けることで偏芯コロ１３０以外の箇所で位置を固定することとなり、偏芯コロ１３０の位置ずれが発生しなくなる。また、固定部を別途複数設けることで各箇所への負荷が分散され、衝撃によるそれぞれのパーツの損傷も発生し辛くなる。
【００３３】
図５は本発明の第１の実施例を示したレンズ鏡筒１００の偏芯固定軸１７０を示した斜視図である。図６は本発明の第１の実施例を示したレンズ鏡筒１００の偏芯固定カラー１８０を示した斜視図である。以下、図５、図６を使用して偏芯固定軸１７０、偏芯固定カラー１８０について説明を行う。偏芯固定軸１７０は独楽状の形状をした部材であり、ピン部１７１、フランジ部１７２、ネジ部１７３を有している。ピン部１７１は端面部１７４を有し、端面部１７４は更に回転させる際に器具を係合させるための切り欠き部１７５を有している。偏芯固定カラー１８０はドーナツ状の形状をした部材であり、貫通穴１８１を有している。また、貫通穴１８１の開口部の径はレンズ鏡筒の外周部側とレンズ鏡筒の内周部側で異なっており、レンズ鏡筒の外周部側の方がレンズ鏡筒の内周部側より広くなっている。これは図４に示されているように、貫通穴１８１の内周部が略中間からすり鉢形状となっているためである。また、偏芯固定軸１７０のピン部１７１の直径は、貫通穴１８１のレンズ鏡筒の内周部側の開口部の直径より小さい。偏芯固定軸１７０は、ネジ部１７３がベース部材１１０の第１ネジ穴部１１２に締め込まれることで、ベース部材１１０に固定されている。一方、偏芯固定カラー１８０はレンズ鏡室１２０の丸穴部１２１に嵌合している。
【００３４】
以上が本実施例に記載のレンズ鏡筒１００を構成する部材の説明である。続いて、本実施例に記載のレンズ鏡筒１００の調芯機構の組み立て手順、調芯方法及び固定方法について説明を行う。
【００３５】
初めにベース部材１１０とレンズ鏡室１２０を係合させる手順を説明する。まず、球状コロ１５０をベース部材１１０の第２コロ受け穴に嵌合させる。次に、ベース部材１１０の第１コロ受け穴１１４とレンズ鏡室１２０の長穴部１２２が２箇所で重なり合うように、ベース部材１１０とレンズ鏡室１２０の位置関係を調整する。次に、偏芯コロ１３０をレンズ鏡室１２０の２箇所の長穴部１２２に挿通させ、ベース部材１１０の第１コロ受け穴１１４と嵌合させる。次に、抑え部１５１を取り付けビス１４０でレンズ鏡室に固定する。次に、取り付けビス１４０を第２ネジ穴部１１３へ締め込むことで、２箇所の偏芯コロ１３０と１箇所の球状コロ１５０を締結する。続いて、偏芯固定軸１７０のネジ部１７３をレンズ鏡室１２０の丸穴部１２１に挿通し、そのままベース部材１１０の第１ネジ穴部１１２にネジ部１７３を締め込む。最後に、偏芯固定カラー１８０の貫通穴１８１に偏芯固定軸１７０のピン部１７１を挿通し、そのままレンズ鏡室１２０の丸穴部１２１に偏芯固定カラー１８０を嵌合する。以上の手順でベース部材１１０とレンズ鏡室１２０は係合される。
【００３６】
次に、係合したベース部材１１０とレンズ鏡室１２０について、調芯作業を行う。調芯作業では、ＭＴＦ測定器等の調芯治具にレンズ鏡筒１００を取り付け、解像性能を観察しながらレンズ鏡室１２０の倒れ量について調整を行う。より具体的には、調芯作業は偏芯コロ１３０の切り欠き部１３２にコロ回転用の器具を差し込み、偏芯コロ１３０を回転させることで行われる。ここで、調芯作業を行いレンズ鏡室１２０が倒れることで、ベース部材１１０に締め込まれた偏芯固定軸１７０のピン部１７１は偏芯固定カラー１８０の貫通穴１８１の内部で移動をする。この際、偏芯固定軸１７０のピン部１７１が偏芯固定カラー１８０の貫通穴１８１に接触してしまえば、移動範囲の規制となり、正しく調芯を行うことができない。また、接触による破損の恐れがある。従って、偏芯固定カラー１８０のレンズ鏡筒の内周部側の開口部は、例え調芯作業によって倒れ量が最大になった場合にも、ピン部１７１が接触しないように直径が設定されている。レンズ鏡室１２０に対して最大の倒れ調整を行った際のピン部１７１の可動範囲は偏芯コロ１３０の偏心量によって決定されるので、つまり偏芯固定カラー１８０のレンズ鏡筒の内周部側の開口部の直径は、偏芯コロ１３０の偏心量によって規定される。
【００３７】
調芯作業を行った後には、前述したように偏芯固定部１６０による固定を行う。図７は本発明の第１の実施例を示した偏芯固定部１６０の接着部１９０を示した断面図である。接着部１９０は偏芯固定軸１７０と偏芯固定カラー１８０によって形成され、接着剤が充填される部分である。斜線で示された部分が接着部１９０であり、固定のため調芯後に接着剤が充填される。接着部１９０はより具体的には、偏芯固定軸１７０のピン部１７１、フランジ部１７２、偏芯固定カラー１８０の貫通穴１８１の内周部から構成されている。また、図７に示されるように、ピン部１７１の端面部１７４は、貫通穴１８１を貫通して外側に位置している。
【００３８】
本発明は、偏芯固定部１６０が接着部１９０を有することで、ベース部材１１０に直接接着剤が付着しない構造となっている。これは、偏芯固定軸１７０にフランジ部１７２が存在するため、接着剤が貫通穴１８１から漏れ出すことがないためである。
【００３９】
また、前述したように偏芯固定カラー１８０は貫通穴１８１の内周部が略中間からすり鉢形状となっている。このように貫通穴１８１がすり鉢形状となっていることで、接着剤を注入するための開口が広くなるため、貫通穴１８１への接着剤注入の作業効率が高くなる。本発明においてはすり鉢形状としたが、例えば内周部段差を設けるなどして、レンズ鏡筒外側とレンズ鏡筒の内周部側で開口部の径を異なる形状とすれば同等の効果が得られる。ただし、偏芯量の調整幅が大きい等といった理由によりレンズ鏡筒の内周部側の開口部にある程度の大きさが必要であれば、貫通穴１８１の内周部に変化をつけず、径を一定としても良い。
【００４０】
接着部１９０に流し入れる接着剤はどのようなものでも良いが、例えば紫外線硬化型接着剤を用いれば、素早く、周辺部品へ熱などの影響を与えずに調芯後の接着固定を行うことができる。かかる紫外線硬化型接着剤を用いた場合には、貫通穴１８１のすり鉢形状は、接着剤を硬化させるための紫外線照射効率向上にも資する。
【００４１】
以上が本実施例に記載のレンズ鏡筒１００の調芯機構の組み立て手順、調芯方法及び固定方法についての説明である。次にレンズ鏡室１２０をベース部材１１０から取り外す、解体方法について説明する。
【００４２】
ベース部材１１０からレンズ鏡室１２０を取り外す際には、全ての取り付けビス１４０を取り外し、偏芯コロ１３０、球状コロ１５０を取り外す。続いて、ベース部材１１０に締め込まれている偏芯固定軸１７０を取り外すことで、レンズ鏡室１２０はベース部材１１０から取り外されることとなる。偏芯固定軸１７０の具体的な外し方としては、まず切り欠き部１７５に器具を係合させ回転させる。すると偏芯固定軸１７０と偏芯固定カラー１８０とは調芯されたことで同軸に存在しないため、硬化していた接着剤は回転することができずに負荷がかかり、貫通穴１８１の内周部内で粉砕される。この際、接着剤の種類によっては粉砕されることなく剥がれ、偏芯固定カラー１８０に張り付くことも考えられる。前者の種類の接着剤の場合であれば、粉砕された接着剤を吸引器等で除去し、そのまま偏芯固定軸１７０を回転させる。すると、偏芯固定軸１７０が第１ネジ穴部１１２のネジ溝に従ってせり上がることで、レンズ鏡室１２０に嵌合していた偏芯固定カラー１８０が外れ、偏芯固定軸１７０と偏芯固定カラー１８０はレンズ鏡筒１００から同時に外れる。後者の場合も同様に、偏芯固定軸１７０を回転させることで、偏芯固定軸１７０、偏芯固定軸に付着した接着剤及び偏芯固定カラー１８０はレンズ鏡筒１００から同時に外れる。以上のようにしてレンズ鏡筒１００の解体作業が行われる。
【００４３】
またレンズ鏡筒１００の解体ではなく、レンズ鏡室１２０とベース部材１１０の相対位置のズレを修正するための再調整も可能である。その場合には偏芯固定部１６０のみを外し、新たな偏芯固定部１６０と交換し、再調芯を行う。そして最後に接着部１９０を接着剤で充填し、固定すれば良い。
【００４４】
上記のように、本発明においてはレンズ鏡室１２０とベース部材１１０の固定に接着剤を使用しているものの、レンズ鏡室１２０、ベース部材１１０には直接接着剤が塗布されていない。接着剤は接着部１９０に塗布されているのみであり、更に接着部１９０が存在する偏芯固定部１６０は容易に取り外すことが可能である。従って、レンズの分解が容易であり、その際にレンズ鏡室１２０とベース部材１１０が変形、破損する可能性が少ない。また、硬化していた接着剤は貫通穴１８１の内周部内で粉砕されるので、レンズ鏡筒１００の内部に飛散することもない。よって、レンズ鏡筒１００の修理や再調整を行う際に、レンズ鏡室１２０やベース部材１１０等の諸部材を再利用することが容易となる。
【００４５】
また、ピン部１７１の端面部１７４が貫通穴１８１を貫通して外部に位置しているため、ピン部１７１の端面部１７４が接着部１９０に埋没して接着剤が付着することがなく、切り欠き部１７５に器具を係合させることが容易である。従って、偏芯固定部１６０は取り外しが容易な構造となっている。
【００４６】
（実施例２）
第１の実施例で示したのは本発明を適用した、倒れ方向の調芯機構を有するレンズ鏡筒１００だった。それに対し第２の実施例で示すのは本発明を適用した、光軸に直交する平面内を平行に移動させる調芯機構を有するレンズ鏡筒２００である。図８は本発明の第２の実施例を示したレンズ鏡筒２００の要部斜視図である。また、図９は本発明の第２の実施例を示したレンズ鏡筒２００の要部分解斜視図である。以下、図８、図９を使用して各部材について説明を行う。なお、図８、図９は本実施例のレンズ鏡筒２００において、調芯機構の説明に必要な要部のみを示している。
【００４７】
第２の実施例のレンズ鏡筒２００は調芯機構を有し、ベース部材２１０、レンズ鏡室２２０、取り付けビス２３０、ワッシャー２３１、偏芯固定部１６０を有している。ここで、偏芯固定部１６０は実施例１と同様のものである。
【００４８】
レンズ鏡室２２０はレンズエレメントを保持し、偏芯固定カラー１８０が嵌合する丸穴部２２１が３箇所、取り付けビス２３０が挿通するビス穴２２２が３箇所設けられている。ここでビス穴２２２の直径は、取り付けビス２３０の直径より大きく設定されている。また、取り付けビス２３０はワッシャー２３１が伴って締め込まれている。
【００４９】
ベース部材２１０は、レンズ鏡室２２０が固定される部材であり、偏芯固定軸１７０のネジ部１７３が締め込まれる第１ネジ穴部２１１が３箇所、取り付けビス２３０が締め込まれる第２ネジ穴部２１２が３箇所設けられている。
【００５０】
図１０は本発明の第２の実施例を示したレンズ鏡筒２００の断面図である。続いて図１０を使用して、本実施例に記載のレンズ鏡筒２００の調芯機構の組み立て手順、調芯方法及び固定方法について説明を行う。
【００５１】
初めにベース部材２１０とレンズ鏡室２２０を係合させる手順を説明する。まず、ベース部材２１０の第１ネジ穴部２１１とレンズ鏡室２２０の丸穴部２２１が３箇所で重なり合うように、また、第２ネジ穴部２１２とビス穴２２２が３箇所で重なり合うように、ベース部材２１０とレンズ鏡室２２０の位置関係を調節する。続いて、取り付けビス２３０をレンズ鏡室２２０の３箇所のビス穴２２２に挿通させ、ベース部材２１０の第２ネジ穴部２１２に軽く締め込むことで仮留めを行う。続いて、ベース部材２１０の第１ネジ穴部２１１に偏芯固定軸１７０を締め込み、レンズ鏡室２２０に偏芯固定カラー１８０を嵌合させる。以上の手順でベース部材２１０とレンズ鏡室２２０は係合される。
【００５２】
次に、ベース部材２１０とレンズ鏡室２２０を仮留めした状態で、調芯作業を行う。調芯作業では、ＭＴＦ測定器等の調芯治具にレンズ鏡筒２００を取り付け、解像性能を観察しながらレンズ鏡室２２０を光軸と直交する面内で移動させることで調整を行う。ここでベース部材２１０に取り付けビス２３０が完全には締め込まれておらず、また図１０に示されるようにビス穴２２２の直径が取り付けビス２３０の直径より大きい。従って、レンズ鏡室２２０は光軸と直交する面内を移動可能である。
【００５３】
偏芯作業を行っている際、偏芯固定部１６０では、偏芯固定カラー１８０の貫通穴１８１の内部を偏芯固定軸１７０が移動する。従って調芯作業では、レンズ鏡室２２０の可動範囲はピン部１７１及び貫通穴１８１の直径によって規制される。
【００５４】
ここで、ビス穴２２２の直径が取り付けビス２３０の頭部分の直径を超えていれば、偏芯作業中に取り付けビス２３０の頭部分がビス穴２２２を挿通してしまう場合が考えられる。しかしワッシャー２３１が存在することで、取り付けビス２３０の頭部分の直径が実質的に延長されているため、安定してレンズ鏡室２２０を固定することが可能となっている。
【００５５】
調芯作業を行った後には、偏芯固定部１６０の接着部１９０に接着剤を充填する。偏芯固定部１６０に関しては実施例１と同様であるので、省略する。最後に、仮留めしていた取り付けビス２３０を完全に締め込むことで、ベース部材２１０とレンズ鏡筒２２０の固定は行われる。
【００５６】
またレンズ鏡筒２００を解体する際も、実施例１と同様に、取り付けビス２３０と偏芯固定部１６０を外せばよい。
【００５７】
以上のように、本発明は倒れ方向の調芯機構のみならず、光軸と直交する方向の調芯機構にも適用可能である。
【００５８】
すなわち本発明は、分解が容易で、かつベース部材及びレンズ鏡室を再利用可能であり、レンズ鏡室の倒れ方向の調芯機構にも適用可能な構造を有するレンズ鏡筒を提供するという目的を、レンズを保持するレンズ保持部材と、固定部材によって前記レンズ保持部材と固定されるベース部材と、前記レンズ保持部材と前記ベース部材との相対位置を調整する調整部材と、を有するレンズ鏡筒であって、前記固定部材は第１凸部と第２凸部とフランジ部とを有し、前記ベース部材に前記第１凸部が固定された偏芯固定軸と、前記第２凸部が挿通される貫通穴を有し、前記レンズ保持部材に嵌合した偏芯固定カラーと、を有し、前記偏芯固定軸と前記偏芯固定カラーとで形成される接着部に接着剤が充填されることで前記レンズ保持部材と前記ベース部材とが固定されることを特徴とする構成によって実現した。
【００５９】
なお、本発明にかかるレンズ鏡筒は、本発明が適用される撮像装置に応じて適宜変形される。また、必要に応じて、装置の外寸法の変更による外観の変化、部材間の結合位置など、種々の変形や変更が可能であるが、いずれも本発明の均等の範囲内である。
【符号の説明】
【００６０】
１００      レンズ鏡筒
１１０      ベース部材
１１１      コロ溝
１１２      第１ネジ穴部
１１３      第２ネジ穴部
１１４      第１コロ受け穴
１２０      レンズ鏡室
１２１      丸穴部
１２２      長穴部
１３０      偏芯コロ
１３２      切り欠き部
１４０      取り付けビス
１５０      球状コロ
１５１      円筒部
１５２      球状部
１５３      抑え部
１６０      偏芯固定部
１７０      偏芯固定軸
１７１      ピン部
１７２      フランジ部
１７３      ネジ部
１７４      端面部
１７５      端面切り欠き部
１８０      偏芯固定カラー
１８１      貫通穴
１９０      接着部
２００      レンズ鏡筒
２１０      ベース部材
２１１      第１ネジ穴部
２１２      第２ネジ穴部
２２０      レンズ鏡室
２２１      丸穴部
２２２      ビス穴
２３０      取り付けビス
２３１      ワッシャー
【図１】
2018185449.tif 000003
【図２】
2018185449.tif 000004
【図３】
2018185449.tif 000005
【図４】
2018185449.tif 000006
【図５】
2018185449.tif 000007
【図６】
2018185449.tif 000008
【図７】
2018185449.tif 000009
【図８】
2018185449.tif 000010
【図９】
2018185449.tif 000011
【図１０】
2018185449.tif 000012